【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
基地局分散ユニットによって、第１の基地局中央ユニットから、前記第１の基地局中央ユニットを含む第１のパブリックランドモバイルネットワーク（ＰＬＭＮ）の第１のＰＬＭＮ識別子を含む第１のメッセージを受信することと、
前記基地局分散ユニットによって、第２の基地局中央ユニットから、前記第２の基地局中央ユニットを含む第２のＰＬＭＮの第２のＰＬＭＮ識別子を含む第２のメッセージを受信することと、
前記基地局分散ユニットによって、前記第１のＰＬＭＮ識別子および前記第２のＰＬＭＮ識別子を含む少なくとも１つのシステム情報ブロックを送信することと、を含む、方法。
【請求項２】
前記基地局分散ユニットによって、無線デバイスから、前記少なくとも１つのシステム情報ブロックに基づく無線リソース制御メッセージを受信することと、
前記基地局分散ユニットによって、前記無線リソース制御メッセージに基づいて、前記無線デバイスのための無線リソースを構成することと、をさらに含む、請求項１に記載の方法。
【請求項３】
前記無線デバイスは、前記第１のＰＬＭＮまたは前記第２のＰＬＭＮのうちの少なくとも１つに関連付けられている、請求項２に記載の方法。
【請求項４】
前記基地局分散ユニットによって、前記第１の基地局中央ユニットおよび前記第２の基地局中央ユニットのうちの少なくとも１つからパケットを受信することと、
前記基地局分散ユニットによって、前記第１のＰＬＭＮまたは前記第２のＰＬＭＮのうちの前記少なくとも１つに関連付けられた無線デバイスに、前記パケットを送信することと、をさらに含む、請求項１に記載の方法。
【請求項５】
前記第１のメッセージおよび前記第２のメッセージは、
Ｆ１設定応答メッセージ、
基地局中央ユニット構成更新メッセージ、または
基地局分散ユニット構成更新肯定メッセージのうちの少なくとも１つを含む、請求項１に記載の方法。
【請求項６】
前記基地局分散ユニットによって、前記第１の基地局中央ユニットに、第１のＦ１設定要求メッセージを送信することであって、前記第１のメッセージは、前記第１のＦ１設定要求メッセージに対する応答である、送信すること、または
前記基地局分散ユニットによって、前記第２の基地局中央ユニットに、第２のＦ１設定要求メッセージを送信することであって、前記第２のメッセージは、前記第２のＦ１設定要求メッセージに対する応答である、送信することのうちの少なくとも１つをさらに含む、請求項１に記載の方法。
【請求項７】
前記少なくとも１つのシステム情報ブロックは、前記第１のＰＬＭＮまたは前記第２のＰＬＭＮのうちの少なくとも１つに対するセルパラメータを含み、前記セルパラメータは、
前記少なくとも１つのシステム情報ブロックがセルを介して送信される、当該セルのセル識別子、
前記セルのクローズド加入者グループ識別子、
前記セルの第１のセル識別子であって、前記第１のセル識別子は、前記第１のＰＬＭＮに関連付けられている、第１のセル識別子、
前記セルの第２のセル識別子であって、前記第２のセル識別子は、前記第２のＰＬＭＮに関連付けられている、第２のセル識別子、
前記セルの第１のクローズド加入者グループ識別子であって、前記第１のクローズド加入者グループ識別子は、前記第１のＰＬＭＮに関連付けられている、第１のクローズド加入者グループ識別子、
前記セルの第２のクローズド加入者グループ識別子であって、前記第２のクローズド加入者グループ識別子は、前記第２のＰＬＭＮに関連付けられている、第２のクローズド加入者グループ識別子、
前記第１の基地局中央ユニットの第１の基地局中央ユニット識別子、
前記第１の基地局中央ユニットの第２の基地局中央ユニット識別子、
前記第１の基地局中央ユニットに関連付けられた第１の基地局の第１の基地局識別子、または
前記第２の基地局中央ユニットに関連付けられた第２の基地局の第２の基地局識別子のうちの少なくとも１つを含む、請求項１に記載の方法。
【請求項８】
前記少なくとも１つのシステム情報ブロックを送信することは、前記第１のＰＬＭＮおよび前記第２のＰＬＭＮに対して共有されるセルを介して、前記少なくとも１つのシステム情報ブロックを送信することを含む、請求項１に記載の方法。
【請求項９】
前記少なくとも１つのシステム情報ブロックは、
前記第１のＰＬＭＮ識別子を含む第１のシステム情報ブロック、および
前記第２のＰＬＭＮ識別子を含む第２のシステム情報ブロックを含む、請求項１に記載の方法。
【請求項１０】
前記第１のシステム情報ブロックは、
セルの第１のセル識別子であって、前記第１のセル識別子は、前記第１のＰＬＭＮに関連付けられている、第１のセル識別子、
前記セルの第１のクローズド加入者グループ識別子であって、前記第１のクローズド加入者グループ識別子は、前記第１のＰＬＭＮに関連付けられている、第１のクローズド加入者グループ識別子、
前記第１の基地局中央ユニットの第１の基地局中央ユニット識別子、または
前記第１の基地局中央ユニットに関連付けられた第１の基地局の第１の基地局識別子のうちの少なくとも１つを含む、請求項９に記載の方法。
【請求項１１】
前記第１のシステム情報ブロックは、
セルの第２のセル識別子であって、前記第２のセル識別子は、前記第２のＰＬＭＮに関連付けられている、第２のセル識別子、
前記セルの第２のクローズド加入者グループ識別子であって、前記第２のクローズド加入者グループ識別子は、前記第２のＰＬＭＮに関連付けられている、第２のクローズド加入者グループ識別子、
前記第１の基地局中央ユニットの第２の基地局中央ユニット識別子、または
前記第２の基地局中央ユニットに関連付けられた第２の基地局の第２の基地局識別子のうちの少なくとも１つを含む、請求項９に記載の方法。
【請求項１２】
前記少なくとも１つのシステム情報ブロックは、
前記第１のＰＬＭＮ識別子を含む第１のシステム情報ブロックであって、前記第１のシステム情報ブロックは、前記第１のＰＬＭＮの第１のセルを介して送信される、第１のシステム情報ブロック、または
前記第２のＰＬＭＮ識別子を含む第２のシステム情報ブロックであって、前記第２のシステム情報ブロックは、前記第２のＰＬＭＮの第２のセルを介して送信される、第２のシステム情報ブロックのうちの少なくとも１つを含む、請求項９に記載の方法。
【請求項１３】
前記基地局分散ユニットによって、前記第１の基地局中央ユニットから、前記少なくとも１つのシステム情報ブロックを受信することをさらに含む、請求項１に記載の方法。
【請求項１４】
前記基地局分散ユニットによって、前記第１の基地局中央ユニットに、前記第２のＰＬＭＮ識別子を含む構成パラメータを送信することをさらに含み、前記少なくとも１つのシステム情報ブロックは、前記構成パラメータに基づいている、請求項１に記載の方法。
【請求項１５】
前記基地局分散ユニットによって、前記第１のメッセージおよび前記第２のメッセージに基づいて、前記少なくとも１つのシステム情報ブロックを判定することをさらに含む、請求項１に記載の方法。
【請求項１６】
前記基地局分散ユニットによって、前記第１の基地局中央ユニットまたは前記第２の基地局中央ユニットのうちの少なくとも１つに、前記少なくとも１つのシステム情報ブロックを送信することをさらに含む、請求項１に記載の方法。
【請求項１７】
前記少なくとも１つのシステム情報ブロックは、システム情報ブロック１を含む、請求項１に記載の方法。
【請求項１８】
基地局は、前記第１の基地局中央ユニット、前記第２の基地局中央ユニット、および前記基地局分散ユニットを含む、請求項１に記載の方法。
【請求項１９】
第１の基地局は、前記第１の基地局中央ユニットおよび前記基地局分散ユニットを含み、
第２の基地局は、前記第２の基地局中央ユニットおよび前記基地局分散ユニットを含む、請求項１に記載の方法。
【請求項２０】
前記基地局分散ユニットは、
前記第１のＰＬＭＮおよび前記第２のＰＬＭＮによって共有されるセル、
前記第１のＰＬＭＮの第１のセル、または
前記第２のＰＬＭＮの第２のセルのうちの少なくとも１つにサービスを提供する、請求項１に記載の方法。